(57)【要約】【課題】快適性の向上を図るとともに、使用性の向上が可能な車両用シート、車両用シート組立体、及び、この車両用シートを備える車両を提供する。【解決手段】車両の側壁１０に沿って立設された背もたれ部１７と、背もたれ部１７の下端部から側壁１０から離間する方向に突出し、離間する方向に向かうにつれて車両の床面４に対して上方に傾斜する上面と有するフレーム１２と、弾性材料からなり、フレーム１２の上面１６ａに設けられてこの上面１６ａに沿う座面２１を形成するクッション部２０と、を備え、クッション部２０では、離間する方向及び高さ方向に直交するシート幅方向の中央位置のシート幅方向に直交する断面上での最下部と最上部とに位置する二箇所の部分の頂点Ｐ同士を結ぶ直線Ｌ１が、クッション部２０に着座した状態で、フレーム１２の上面１６ａに沿って床面４に対して上方に８．５度以上、９．５度以下傾斜した状態となる。【選択図】図３
2016215816.tif 000002
【特許請求の範囲】
【請求項１】
車両の内壁部に沿って立設された背もたれ部と、
前記背もたれ部の下端部から前記内壁部から離間する方向に突出し、前記離間する方向に向かうにつれて前記車両の床面に対して上方に傾斜する上面と有するフレームと、
弾性材料からなり、前記フレームの上面に設けられて該上面に沿う座面を形成するクッション部と、
を備え、
前記クッション部では、前記離間する方向及び高さ方向に直交する幅方向の中央位置の前記幅方向に直交する断面上での最下部と最上部とに位置する二箇所の部分の頂点同士を結ぶ直線が、前記クッション部に着座した状態で、前記上面に沿って前記床面に対して上方に８．５度以上、９．５度以下傾斜した状態となる車両用シート。
【請求項２】
前記クッション部では、前記座面における前記内壁部から離間する側の先端部から前記離間する方向の中途位置までの１５０ｍｍ以上、３３０ｍｍ以下の範囲で、の着座時の最大の沈み込み量が１０ｍｍ以上、１５ｍｍ以下となることで、前記座面が前記床面に対して傾斜した状態となる請求項１に記載の車両用シート。
【請求項３】
前記クッション部では、前記クッション部に着座する前の状態で、前記幅方向の中央位置の該幅方向に直交する断面上での最下部と最上部とに位置する二箇所の部分の頂点同士を結ぶ直線が、前記上面に沿って前記床面に対して上方に５．５度以上、６．５度以下傾斜した状態となる請求項１に記載の車両用シート。
【請求項４】
前記クッション部は、着座時に前記内壁部から離間する側の先端部を中心として該先端部とは反対側の基端部が回動することで、着座時に前記座面が前記床面に対して傾斜した状態となる請求項１から３のいずれか一項に記載の車両用シート。
【請求項５】
前記クッション部は、前記離間する方向に弾性率が異なることで、着座時に前記座面が前記床面に対して傾斜した状態となる請求項１から３のいずれか一項に記載の車両用シート。
【請求項６】
前記クッション部は、前記離間する方向に高さ方向の厚みが異なることで、着座時に前記座面が前記床面に対して傾斜した状態となる請求項１から３のいずれか一項に記載の車両用シート。
【請求項７】
前記クッション部は、前記座面における前記内壁部から離間する側の先端部から前記離間する方向の中途位置まで１５０ｍｍ以上、３３０ｍｍ以下の範囲で、着座時の接触面圧が均一となる弾性率を有する請求項１から６のいずれか一項に記載の車両用シート。
【請求項８】
前記クッション部では、前記座面に下方に凹む凹部が形成されている請求項１から７のいずれか一項に記載の車両用シート。
【請求項９】
前記背もたれ部では、前記離間する方向及び高さ方向に直交する幅方向の中央位置で凹部が形成されたバケット形状をなしている請求項１から８のいずれか一項に記載の車両用シート。
【請求項１０】
請求項１から９のいずれか一項に記載の車両用シートにおける前記クッション部及び前記背もたれ部が、前記幅方向に複数並んで形成された車両用シート組立体。
【請求項１１】
請求項１から９のいずれか一項に記載の車両用シートと、
前記車両用シートが設けられる内壁部が車内に形成された車両本体と、
を備える車両。
【発明の詳細な説明】
【技術分野】
【０００１】
本発明は、車両に設けられる車両用シート、車両用シート組立体、及び、車両用シートを備える車両に関する。
【背景技術】
【０００２】
バスや鉄道以外の新たな交通手段として、ゴムタイヤ等からなる走行輪によって軌道上を走行する軌道系交通システムが知られている。このような軌道系交通システムは、一般に新交通システムやＡＧＴ（Ａｕｔｏｍａｔｅｄ  Ｇｕｉｄｅｗａｙ  Ｔｒａｎｓｉｔ）、ＡＰＭ（Ａｕｔｏｍａｔｅｄ  Ｐｅｏｐｌｅ  Ｍｏｖｅｒ）と呼ばれている。
この種の軌道系交通システムでは、車両に設けられた案内輪が軌道に沿って設けられた案内レールに接触して転動することで、軌道上を車両が案内される。
【０００３】
ところで、車両の車内にはシートが設けられている。シートは例えば特許文献１に記載されているように、一般的に背もたれ部分と着座部分とから構成されており、着座部分にはクッション体が設けられている。
【先行技術文献】
【特許文献】
【０００４】
【特許文献１】特開２０１０−２８０２３４号公報
【発明の概要】
【発明が解決しようとする課題】
【０００５】
ここで、軌道系交通システムは、例えば通勤、通学等の比較的短距離の移動手段として用いられることが多い。このためシートは、着座時に乗客が快適性を得ることができるだけでなく、乗り降りのし易さも重要となる。特許文献１に記載された従来のシートは、短時間での乗り降りを想定した形状とはなっていないため、そのまま軌道系交通システムの車両に採用した場合、通勤車両のシートとしての機能は不十分である。
【０００６】
本発明は、上記課題を解決するためになされたものであって、快適性の向上を図るとともに、使用性の向上が可能な車両用シート、車両用シート組立体、及び、車両用シートを備える車両を提供する。
【課題を解決するための手段】
【０００７】
上記課題を解決するために、本発明は以下の手段を提案している。
本発明の第一の態様に係る車両用シートは、車両の内壁部に沿って立設された背もたれ部と、前記背もたれ部の下端部から前記内壁部から離間する方向に突出し、前記離間する方向に向かうにつれて前記車両の床面に対して上方に傾斜する上面と有するフレームと、弾性材料からなり、前記フレームの上面に設けられて該上面に沿う座面を形成するクッション部と、を備え、前記クッション部では、前記離間する方向及び高さ方向に直交する幅方向の中央位置の前記幅方向に直交する断面上での最下部と最上部とに位置する二箇所の部分の頂点同士を結ぶ直線が、前記クッション部に着座した状態で、前記上面に沿って前記床面に対して上方に８．５度以上、９．５度以下傾斜した状態となる。
【０００８】
このような車両用シートによれば、乗客が着座した際には、クッション部が床面に対して８．５度以上、９．５度以下傾斜した状態となることで、背もたれ部に体をあずけやすくなり、車両の揺れ等に対しても身体を安定させることができる。また、着座時にクッション部の座面に８．５度以上、９．５度以下という小さな傾斜角度が付くことで、傾斜角度の無いクッション部に比べ、着座時には膝がより上方に位置することになる。従って、仮に脚を車両用シートの前方へ投げ出すと足が床面から離れてしまい、この結果、着座時の不安定性が増してしまう。よって、乗客がより安定した姿勢を保とうとして、自動的に脚が背もたれ部側に引きつけられ、即ち、脚が前方へ投げ出された状態となりにくく、立ち上がり易さが向上する。
さらに、脚が前方に投げ出されなくなることで、車両用シートの前方に通路が有る場合、例えば車両用シートがロングシートであるような場合には、乗客の通行の邪魔になってしまうことを回避することができる。
また、上述のように、背もたれ部に身体をあずけ易くなって身体を安定させることができるため、乗客は身体を安定させようとして座面に浅く座る必要が無くなり、脚の投げ出しの抑制につながる。
【０００９】
また、本発明の第二の態様に係る車両用シートは、上記第一の態様における前記クッション部では、前記座面における前記内壁部から離間する側の先端部から前記離間する方向の中途位置までの１５０ｍｍ以上、３３０ｍｍ以下の範囲での着座時の最大の沈み込み量が１０ｍｍ以上、１５ｍｍ以下となることで、前記座面が前記床面に対して傾斜した状態となってもよい。
【００１０】
このように、乗客の着座時に、座面における先端部から１５０ｍｍ以上、３３０ｍｍ以下の範囲で、着座時に座面が、最大の沈み込み量が１０ｍｍ以上、１５ｍｍ以下となるように沈み込むことで、着座時には座面は８．５度以上、９．５度以下傾斜した状態となる。このため、クッション部の座面の沈み込み量が程良く、また、着座時にはクッション部に身体がしっかりと保持されて、着座時の安定性の向上による快適性の向上につながる。
【００１１】
また、本発明の第三の態様に係る車両用シートでは、上記第一の態様における前記クッション部では、前記クッション部に着座する前の状態で、前記幅方向の中央位置の該幅方向に直交する断面上での最下部と最上部とに位置する二箇所の部分の頂点同士を結ぶ直線が、前記上面に沿って前記床面に対して上方に５．５度以上、６．５度以下傾斜した状態となっていてもよい。
【００１２】
このように、乗客が着座する前の状態では、床面に対して上方に５．５度以上、６．５度以下傾斜した状態となっており、着座時には座面は８．５度以上、９．５度以下傾斜した状態となる。このため、クッション部の座面の沈み込み量が程良く、着座時の安定性の向上による快適性の向上につながる。
【００１３】
また、本発明の第四の態様に係る車両用シートでは、上記第一から第三のいずれかの態様における前記クッション部は、着座時に前記内壁部から離間する側の先端部を中心として該先端部とは反対側の基端部が回動することで、着座時に前記座面が前記床面に対して傾斜した状態となってもよい。
【００１４】
このように、クッション部を回動させることで、着座時にクッション部の座面に８．５度以上９．５度以下の傾斜角度を容易に付けることができ、着座時の快適性の向上や、立ち上がり易さの向上につながる。
【００１５】
また、本発明の第五の態様に係る車両用シートでは、上記第一から第三のいずれかの態様における前記クッション部は、前記離間する方向に弾性率が異なることで、着座時に前記座面が前記床面に対して傾斜した状態となってもよい。
【００１６】
このように、クッション部の弾性率を車両の内壁部から離間する方向に変化させることで、着座時にクッション部の座面に８．５度以上９．５度以下の傾斜角度を容易に付けることができ、着座時の快適性の向上や、立ち上がり易さの向上につながる。
【００１７】
また、本発明の第六の態様に係る車両用シートでは、上記第一から第三のいずれかの態様における前記クッション部は、前記離間する方向に高さ方向の厚みが異なることで、着座時に前記座面が前記床面に対して傾斜した状態となってもよい。
【００１８】
このように、クッション部の厚みを車両の内壁部から離間する方向に変化させることで、着座時にクッション部の座面に８．５度以上９．５度以下の傾斜角度を容易に付けることができ、着座時の快適性の向上や、立ち上がり易さの向上につながる。
【００１９】
また、本発明の第七の態様に係る車両用シートでは、上記第一から第六のいずれかの態様における前記クッション部は、前記座面における前記内壁部から離間する側の先端部から前記離間する方向の中途位置まで１５０ｍｍ以上、３３０ｍｍ以下の範囲で、着座時の接触面圧が均一となる弾性率を有していてもよい。
【００２０】
このように、着座時に乗客がクッション部の座面から受ける反力が均一となるため、座り心地がよくなり、着座時の快適性が向上する。
【００２１】
また、本発明の第八の態様に係る車両用シートでは、上記第一から第七のいずれかの態様における前記クッション部では、前記座面に下方に凹む凹部が形成されていてもよい。
【００２２】
このように凹部が形成されていることで、着座時に臀部が凹部に入り込み、ホールド性が向上する。従って、車両に揺動や左右動などが生じたとしても、身体がズレにくく、安定性を保つことができる。
【００２３】
また、本発明の第九の態様に係る車両用シートでは、上記第一から第八のいずれかの態様における前記背もたれ部では、前記離間する方向及び高さ方向に直交する幅方向の中央位置で凹部が形成されたバケット形状をなしていてもよい。
【００２４】
このように、背もたれ部がバケット形状をなしていることで、背中の部分が凹部に入り込み、ホールド性が向上する。従って、車両に揺動や左右動などが生じたとしても、身体がズレにくく、安定性を保つことができる。
【００２５】
また、本発明の第十の態様に係る車両用シート組立体は、上記の車両用シートにおける前記クッション部及び前記背もたれ部が、前記幅方向に複数並んで形成されている。
【００２６】
このように、例えば一人分のクッション部、背もたれ部を複数並べて車両用シート組立体を形成すれば、乗客一人ずつ一つのクッション部、背もたれ部を使用し、乗客一人が複数のクッション部、背もたれ部を占拠してしまうことが無くなり、乗客の使用性の向上につながる。また、並べるクッション部、背もたれ部の数量を適宜変更することで、車両の仕様の違いに応じて容易に着座可能人数を変更、調整可能である。
【００２７】
また、本発明の第十一の態様に係る車両は、上記の車両用シートと、前記車両用シートが設けられる内壁部が車内に形成された車両本体と、を備えている。
【００２８】
このような車両によれば、上記の車両用シートを備えていることで、着座時にクッション部の座面に８．５度以上、９．５度以下の傾斜角度が付き、着座時に背もたれ部に身体をあずけ易くなり、着座時の安定性の向上につながる。また、上述のように脚の投げ出しを抑制でき、立ち上がり易さの向上につながる。
【発明の効果】
【００２９】
上記の車両用シート、車両用シート組立体、及び車両によれば、車両用シートのクッション部の座面が傾斜することで、快適性の向上を図るとともに、使用性の向上が可能である。
【図面の簡単な説明】
【００３０】
【図１】本発明の実施形態における車両を示す全体概要図である。
【図２】本発明の実施形態における車両に設けられる車両用シートを示す図であって、（ａ）は側面図を示し、（ｂ）は（ａ）のＡ矢視図であって上面図を示し、（ｃ）は（ｂ）のＢ矢視図であって正面図を示す。
【図３】本発明の実施形態における車両に設けられる車両用シートを示す図であって、着座時の状態を示す側面図である。
【図４】本発明の実施形態における車両に設けられる車両用シートにおける着座前と着座後の座面の傾きの変化を示す模式図である。
【図５】座面が床面に平行な場合の車両用シートを示す図であって、着座時の状態を示す側面図である。
【図６】本発明の実施形態の第一変形例における車両に設けられる車両用シートを示す図である。
【図７】本発明の実施形態の第二変形例における車両に設けられる車両用シートを示す図である。
【図８】本発明の実施形態の第三変形例における車両に設けられる車両用シートを示す図である。
【発明を実施するための形態】
【００３１】
以下、本発明の第一実施形態における車両１について説明する。
車両１は、例えば鉄道車両や、新交通システムの車両１、バス車両等であって、不図示の走行輪によって軌道、又は道路上を走行可能となっている。本実施形態では、通勤、通学等で比較的短時間で乗り降りが行われる場合を想定した車両となっている。
【００３２】
図１に示すように、車両１は、乗客ＰＡを収容する車両本体２と、内部空間に設けられた車両用シート３（以下、単にシート３とする）を備えている。
本実施形態では、複数個のシート３のおける後述するクッション部２０と背もたれ部１７とが隣り合うようにして並んで設けられることで、ロングシート（車両用シート組立体）３Ａ及び、クロスシート（車両用シート組立体）３Ｂが形成されている。なお、シート３は単体で車両本体２の車内に設けられてもよい。
【００３３】
ロングシート３Ａは、車両１の側壁（内壁部）１０から車両幅方向内側を向いて設けられている。またクロスシート３Ｂは、車両１の側壁１０から車両幅方向内側に向かって突出する仕切壁（内壁部）１１から、車両１の進行方向前方を向いて設けられている。
以下、ロングシート３Ａを構成するシート３について説明する。
【００３４】
図２（ａ）に示すように各々のシート３は、車両１の床面４の上方で側壁１０から離間する方向となる車両幅方向内側に突出するフレーム１２と、フレーム１２の上面１６ａに設けられて座面２１を形成するクッション部２０と、クッション部２０の座面２１における側壁１０側の端部となる基端部２１ａから側壁１０に沿って上方に延びるように設けられた背もたれ部１７とを備えている。
【００３５】
図２（ａ）に示すようにフレーム１２は、側壁１０に固定される固定部１３と、固定部１３と一体に形成され、固定部１３の下端部で車両幅方向内側に突出する突出部１４とを有している。
ここで本実施形態では、フレーム１２は、一つのロングシート３Ａ全体にわたって一体に形成されて一つのフレームとなっていてもよいし、クッション部２０及び背もたれ部１７毎に別体となっていてもよい。そして本実施形態では、フレーム１２は一つのロングシート３Ａ全体で一体である場合、一つのロングシート３Ａに別体で複数設けられている場合に関わらず、各シート３を説明する際のフレーム１２は、一つ一つのクッション部２０及び背もたれ部１７に対応するフレーム１２の部分を示すものとして説明する。
【００３６】
固定部１３は、上部で側壁１０に沿って配置され、側壁１０に不図示のボルト等によって固定されている。
【００３７】
突出部１４は、固定部１３の下端部から側壁１０から離れるように、車両幅方向内側に向かうにつれて下方に向かうように延びる接続部１５と、接続部１５の下端部から車両幅方向内側に向かうにつれて上方に向かうように傾斜し、床面４に対して上方に傾斜する支持部１６とを有している。これにより支持部１６には、床面４に対して上方に傾斜する上面１６ａが形成されている。
【００３８】
図２（ａ）に示すように、背もたれ部１７は、乗客ＰＡ一人分ずつ別体となっており、フレーム１２の固定部１３、及び接続部１５の一部を車両幅方向内側から覆うようにして固定部１３の上方で、側壁１０に不図示のボルト等によって固定されている。
さらに背もたれ部１７は、発砲ウレタン等の弾性材料からなり、図２（ａ）及び図２（ｂ）に示すように、車両幅方向及び高さ方向に直交するシート幅方向、即ち車両１の進行方向に一致するシート幅方向の中央位置で、側壁１０に向かって凹む凹部１７ａが形成されたバケット形状をなしている。換言すると、シート幅方向の両端の位置で、背もたれ部１７の高さ方向の全域にわたって車両幅方向内側に向かって突出する凸部１７ｂが形成されている。
【００３９】
そして図３に示すように、乗客ＰＡが背もたれ部１７に寄りかかった際には、凹部１７ａ内に入り込むようにして乗客ＰＡの背中の部分が保持される。またこの凹部１７ａの底面は、側壁１０に沿って平面上に形成され、この底面は、上方に向かうに従って壁面に近接するように車両幅方向外側に向かって傾斜している。
そして背もたれ部１７は、車両１の高さ方向に対して１５度傾斜しているとよい。即ち、トルソー角が１５度となっているとよい。
【００４０】
クッション部２０は、乗客ＰＡ一人分ずつ別体となっており、発砲ウレタン等の弾性材料からなり、図２（ａ）に示すように、フレーム１２の支持部１６における上面１６ａを上方から覆うように、支持部１６にボルト２５等によって固定されている。これによりクッション部２０における上方を向く面は、支持部１６の上面１６ａに沿って傾斜する座面２１となっている。
【００４１】
さらにクッション部２０の座面２１の車両幅方向内側の端部となる先端部２１ｂの方が、支持部１６の先端部よりも車両幅方向内側に位置するように、支持部１６から突出して設けられている。クッション部２０の前後方向（車両幅方向に一致する方向）の長さ寸法は、例えば５００ｍｍ程度の寸法とされる。また、クッション部２０は背もたれ部１７の下部に５０ｍｍ程度入り込んだ状態で設けられている。
【００４２】
また、クッション部２０の座面２１には、図２（ａ）及び図２（ｃ）に示すように、シート幅方向の略中央の位置で下方に凹む凹部２１ｃが形成さており、座面２１がすり鉢状になっている。
そして図３に示すように、乗客ＰＡが着座した際には、凹部２１ｃ内に入り込むようにして乗客ＰＡの臀部が保持される。
【００４３】
さらにクッション部２０の座面２１は、図３及び図４に示すように、着座時にクッション幅方向に直交する断面上での座面２１上の最下部と最上部とに位置する二箇所の部分の頂点Ｐ同士を結ぶ直線Ｌ１が、座面２１の先端部２１ｂ（クッション部２０の先端部側の端部）に向かうにつれて上方に傾斜することで、床面４に対して８．５度以上、９．５度以下の角度θ１で傾斜しており、特に角度θ１は９度であるとよい。
【００４４】
また、クッション部２０の座面２１は、着座前の状態でクッション幅方向の中央位置のクッション幅方向に直交する断面上での座面２１上の最下部と最上部とに位置する二箇所の部分の頂点Ｐ同士を結ぶ直線Ｌ２が、座面２１の先端部２１ｂに向かうにつれて上方に傾斜することで、床面４に対して５．５度以上、６．５度以下の角度θ２で傾斜しており、特に角度θ２は６度であるとよい。
【００４５】
さらに、クッション部２０では着座前の状態から着座した状態となる際に、クッション幅方向の中央位置のクッション幅方向に直交する断面上で、座面２１の先端部２１ｂからクッション部２０の前後方向の中途位置までの１５０ｍｍ以上、３３０ｍｍ以下の範囲ｘでの着座時の最大の沈み込み量ｈが１０ｍｍ以上、１５ｍｍ以下となってもよい。
【００４６】
以上説明した本実施形態の車両１によると、シート３に乗客ＰＡが着座した際には、クッション部２０が床面４に対して８．５度以上、９．５度以下傾斜した状態となることで、背もたれ部１７に体をあずけやすくなり、車両１の揺れ等に対しても身体を安定させることができる。
【００４７】
また、クッション部２０の座面２１に８．５度以上、９．５度以下という小さな傾斜角度が付くことで、仮にクッション部１２０の座面１２１に角度が無く、座面１２１が床面４に平行に近い場合（図５参照）に比べ、着座時に乗客ＰＡの膝がより上方に位置することになる。従って、本実施形態では図３の二点鎖線に示すように、仮に脚を前方へ投げ出すと足が床面４から離れてしまい、この結果、着座時の不安定性が増してしまう。一方で図５に示すクッション部１２０を採用すると、乗客ＰＡは疲労時、睡眠時に肩の部分を背もたれ部１１７に固定しようとして座面１２１に浅く着座する場合であっても足が床面４から離れることが無いため、脚を前方に投げ出した姿勢を取り易い状態となってしまう。
【００４８】
従って、本実施形態のクッション部２０を採用することで、乗客ＰＡがより安定した姿勢を保つために、脚が背もたれ部１７側に自動的に引きつけられ、即ち、脚が前方へ投げ出された状態となりにくく、立ち上がり易さが向上する。
【００４９】
さらに、このように脚が前方に投げ出されなくなることで、特にシート３の前方の通路Ｗに面して設けられているロングシート３Ａでは、通路Ｗを通行する他の乗客の通行の邪魔になってしまうことを回避することができる。
また、上述のように乗客ＰＡは背もたれ部１７に身体をあずけ易くなって、身体を安定させることができるため、身体を安定させようとして浅く座る必要が無くなり、脚の投げ出しの抑制につながる。
【００５０】
このように、シート３を車両１に設けることで、乗客ＰＡの快適性の向上を図るとともに、使用性の向上が可能である。
【００５１】
また、乗客ＰＡの着座時に、座面２１における先端部２１ｂから１５０ｍｍ以上、３３０ｍｍ以下の範囲で、最大の沈み込み量が１０ｍｍ以上、１５ｍｍ以下となるように座面２１が沈み込むことで、着座時に座面２１は８．５度以上、９．５度以下傾斜した状態となる。このため、クッション部２０の座面２１の沈み込み量が程良く、着座時の安定性の向上による快適性の向上につながる。
【００５２】
同様に、乗客ＰＡが着座する前の状態では、座面２１は床面４に対して上方に５．５度以上、６．５度以下傾斜した状態となっており、着座時に座面２１は８．５度以上、９．５度以下傾斜した状態となることで、着座時の安定性の向上による快適性の向上につながる。
【００５３】
さらに、クッション部２０に凹部２１ｃが形成されていることで、着座時に臀部が凹部２１ｃに入り込み、ホールド性が向上する。従って、車両１に揺動や左右動などの揺れが生じたとしても、身体がズレにくく、安定性を保つことができる。
【００５４】
また、背もたれ部１７に凹部１７ａ及び凸部１７ｂが形成されてバケット形状をなしていることで、乗客ＰＡの背中の部分が凹部１７ａに入り込んで、凸部１７ｂに幅方向から挟み込まれることで、着座時のホールド性が向上する。従って、車両１に揺動、左右動などの揺れが生じたとしても、身体がズレにくく、安定性を保つことができる。
【００５５】
さらに、クッション部２０に凹部２１ｃ、背もたれ部１７の凹部１７ａ及び凸部１７ｂによって、乗客ＰＡの身体がシート幅方向にシート３外に飛び出すことがなく、ロングシート３Ａ及びクロスシート３Ｂを構成するシート３のうち二つ以上のシート３を、一人の乗客ＰＡが占拠してしまうことを抑制できる。
【００５６】
さらに、背もたれ部１７のトルソー角が１５度に設定されている。従って、背もたれ部１７に十分に荷重がかかり、背もたれ部１７と背中との密着性が向上する。よって、着座時の上体の揺れを抑えることができ、安定性を増大できる。さらに、乗客ＰＡが自らの筋肉を使って車両１の揺れに耐える必要が無くなるため、快適性の向上につながる。
【００５７】
また、独立したクッション部２０及び背もたれ部１７が複数並んでロングシート３Ａ及びクロスシート３Ｂとなっているため、車両１の仕様の違いに応じて並べるクッション部２０及び背もたれ部１７の数量を適宜変更することで、容易に着座可能人数を変更、調整可能である。また、隣接するシート３の着座状況に影響されることなく各々のシート部３のクッション部２０が変形するので、着座時の快適性を確実に得ることができる。
【００５８】
ここで、本実施形態では、図６に示すように、クッション部２０の基端部側でフレーム１２における支持部１６の上面１６ａとクッション部２０との間に弾性部材３０が介在されて設けられていてもよい。
このような構造を採用することで、着座前（実線）の状態から着座後（二点鎖線）の状態となった際に、弾性部材３０が下方に向かって圧縮されて弾性変形し、クッション部２０を、先端部を基準として下方に回動させ、座面２１における上記直線Ｌ１（図３、図４参照）の傾斜角度が８．５度以上９．５以下の範囲となるようにしてもよい。ここで、弾性部材３０には、例えば樹脂部材や、コイルバネ等を用いることができる。
【００５９】
このようにクッション部２０を回動させることで、着座時に容易に座面２１に８．５度以上９．５度以下の傾斜角度を付けることができ、着座時のホールド性の向上による快適性の向上と、立ち上がり易さの向上につながる。
【００６０】
また、本実施形態では、図７に示すように、クッション部２０が前後方向に異なる弾性率を有する領域ＡＲ１に分けられて構成されていてもよい。例えば、クッション部２０の材質を領域ＡＲ１毎に代えるか、若しくは、発泡ウレタンの発泡率を領域ＡＲ１毎に異なるようにする。そして、クッション部２０の先端部側の領域ＡＲ１１で弾性率を大きく、基端部側の領域ＡＲ１２の弾性率を小さくするように材料を選択する。
このように、クッション部２０の弾性率を側壁１０から離間する方向に変化させることで、容易に着座時にクッション部２０の座面２１に８．５度以上９．５度以下の傾斜角度を付けることができ、着座時の快適性の向上と、立ち上がり易さの向上につながる。
【００６１】
さらに、本実施形態では、図８に示すように、クッション部２０における車両１の高さ方向の寸法となる厚み寸法が前後方向に異なるように複数の領域ＡＲ２に分けられて構成されていてもよい。例えば、クッション部２０の先端部側の領域ＡＲ２１での最大厚みを大きくし、クッション部２０の基端部側の領域ＡＲ２２での最大厚みを小さくすることで、容易に着座時にクッション部２０の座面２１に８．５度以上９．５度以下の傾斜角度を付けることができ、着座時の快適性の向上や、立ち上がり易さの向上につながる。
【００６２】
さらに、本実施形態では、クッション部２０における座面２１の先端部２１ｂからクッション部２０の前後方向の中途位置までの１５０ｍｍ以上、３３０ｍｍ以下の範囲で、着座時に乗客ＰＡの身体との接触面圧が均一となるような弾性率を有するような材料で形成されていてもよい。即ち、臀部の全体が座面に接触可能に変形するように弾性率を決定する。
このように接触面圧が均一となるようにすることで、着座時に乗客ＰＡが座面２１から受ける反力が均一となるため、座り心地が向上し、さらに快適性が向上する。
【００６３】
以上、本発明の実施形態について図面を参照して詳述したが、各実施形態における各構成及びそれらの組み合わせ等は一例であり、本発明の趣旨から逸脱しない範囲内で、構成の付加、省略、置換、およびその他の変更が可能である。また、本発明は実施形態によって限定されることはなく、特許請求の範囲によってのみ限定される。
【００６４】
例えば、着座前での座面２１の傾斜角度は上述の場合に限定されず、少なくとも着座時に、座面２１の傾斜角度が８．５度以上９．５度以下となっていればよい。即ち、着座前では、座面２１は床面４に平行となるように、クッション部２０が設けられていてもよいし、座面２１の先端部２１ｂが基端部２１ａよりも下方に位置するように床面４に対して下方に傾いていてもよい。
【００６５】
また、上述の実施形態では、ロングシート３Ａを構成するシート３について説明したが、クロスシート３Ｂを構成するシート３や、非常用シートを構成するシート３であってもよい。
【符号の説明】
【００６６】
１…車両
２…車両本体
３…シート（車両用シート）
４…床面
３Ａ…ロングシート（車両用シート組立体）
３Ｂ…クロスシート（車両用シート組立体）
１０…側壁（内壁部）
１１…仕切壁（内壁部）
１２…フレーム
１３…固定部
１４…突出部
１５…接続部
１６…支持部
１６ａ…上面
１７…背もたれ部
１７ａ…凹部
１７ｂ…凸部
２０…クッション部
２１…座面
２１ａ…基端部
２１ｂ…先端部
２１ｃ…凹部
２５…ボルト
３０…弾性部材
１１７…背もたれ部
１２０…クッション部
１２１…座面
ＡＲ１、ＡＲ１１、ＡＲ１２、ＡＲ２、ＡＲ２１、ＡＲ２２…領域
ＰＡ…乗客
【図１】
2016215816.tif 000003
【図２】
2016215816.tif 000004
【図３】
2016215816.tif 000005
【図４】
2016215816.tif 000006
【図５】
2016215816.tif 000007
【図６】
2016215816.tif 000008
【図７】
2016215816.tif 000009
【図８】
2016215816.tif 000010